【事件の表示】
　特許第３０６９５１１号「積層板製造用の積層物の積載装置」の請求項１ないし７に係る特許に対する特許異議の申立てについて、次のとおり決定する。
【結　論】
　特許第３０６９５１１号の請求項１ないし７に係る特許を維持する。
【理　由】
１．手続の経緯
　本件特許第３０６９５１１号発明は、平成７年７月１４日に出願され、平成１２年５月１９日に設定登録（請求項の数７）されたところ、平成１３年１月２４日に特許異議申立人高柳馨（以下、申立人という）から特許異議の申し立てがされたものである。
　　
２．特許異議申立について
（１）本件発明
　特許第３０６９５１１号の請求項１ないし７に係る発明（以下、本件発明１ないし７という）は、特許明細書の特許請求の範囲に記載された次のとおりのものと認められる。
【請求項１】作業テーブルの上にパット紙、当て板、金属プレート、金属箔、プリプレグ、トップ板を所定の順に重ねるための積載装置であって、複数枚積み重ねたプリプレグのうち上端のプリプレグを分離する分離装置と、上記当て板あるいはトップ板を吸着して作業テーブルの上に移載する吸着移載装置と、上記パット紙及び分離装置で分離されたプリプレグをつかんで作業テーブルの上に移載するつかみ移載装置と、金属箔を吸着して作業テーブルの上に移載する金属箔移載装置と、金属プレートを吸着して作業テーブルの上に移載する金属プレート移載装置と、パット紙、当て板、金属プレート、金属箔、プリプレグ、トップ板を所定の順で移載するように上記分離装置、吸着移載装置、つかみ移載装置、金属箔移載装置、金属プレート移載装置の作動順序を制御する制御手段とを具備して成ることを特徴とする積層板製造用の積層物の積載装置。
【請求項２】制御手段は、シーケンサで形成されていることを特徴とする請求項１に記載の積層板製造用の積層物の積載装置。
【請求項３】分離装置は、一方の側端部と他方の側端部とが交互に突出するように交互にずらして積み重ねたプリプレグのうち、最上段のプリプレグの突出しない側の側端部の下面と上から二段目のプリプレグの上面との間に差し込まれるピックアップ爪及び、最上段のプリプレグの上面を押さえてピックアップ爪との間にこのプリプレグをクランプするクランプ具を具備して形成される分離ホイストと、分離ホイストを上下駆動する昇降具と、昇降具による分離ホイストの上動によって持ち上げられた最上段のプリプレグの側端部からこのプリプレグの下側に差し込まれ最上段のプリプレグを上面に載置する受けベッドとから形成されていることを特徴とする請求項１又は２に記載の積層板製造用の積層物の積載装置。
【請求項４】吸着移載装置は、当て板あるいはトップ板の上面を吸着する吸着パット及び、異種の金属を材料とする当て板とトップ板の金属を判別して当て板とトップ板とを識別する金属判別センサーを具備して形成される吸着装置と、吸着装置を当て板あるいはトップ板を吸着した場所と作業テーブルとの間で移動させる移送用ロボットとから形成されていることを特徴とする請求項１乃至３のいずれかに記載の積層板製造用の積層物の積載装置。
【請求項５】つかみ移載装置は、つかみ装置と、つかみ装置をパット紙あるいはプリプレグをつかんだ場所と作業テーブルとの間で移動させる移送用ロボットとで形成され、つかみ装置は、両端部にそれぞれ上下回動駆動自在に設けられ、つかみ装置をパット紙あるいはプリプレグの上に配置した状態で下方へ回動させることによってパット紙あるいはプリプレグの各側端部の下側に挿入される受け爪と、受け爪に近接離反する方向に駆動自在に設けられ、受け爪に近接する方向に駆動されることによってパット紙あるいはプリプレグの各側端部の上面を押さえて受け爪との間にパット紙あるいはプリプレグをクランプしてつかむクランプ具と、上下駆動自在に設けられ、受け爪とクランプ具によるパット紙あるいはプリプレグのクランプを解除する際に下動してパット紙あるいはプリプレグの上面を作業テーブルの上に押さえる押さえ具とを具備して形成されていることを特徴とする請求項１乃至４のいずれかに記載の積層板製造用の積層物の積載装置。
【請求項６】金属箔移載装置は、金属箔吸着装置と、金属箔吸着装置を金属箔を吸着した場所と作業テーブルとの間で移動させる金属箔移送装置とから形成され、金属箔吸着装置は、左右一対設けられ、下面に金属箔を吸着する吸引ボックスと、上記両吸引ボックスの間において上下駆動自在に設けられ下動して金属箔の中央部を作業テーブルの上に押さえるシワ伸ばし押さえ具と、シワ伸ばし押さえ具が下動した後に作動し吸引ボックスを下動させて金属箔を作業テーブルの上に載置させる吸引ボックス昇降シリンダーと、シワ伸ばし押さえ具が下動した後に作動し吸引ボックスを外側上方へ回動させる吸引ボックス回動シリンダーと、吸引ボックス昇降シリンダーや吸引ボックス回動シリンダーが作動した後に作動し各吸引ボックスを外方へ水平移動させる吸引ボックス移動シリンダーとを具備して形成されていることを特徴とする請求項１乃至５のいずれかに記載の積層板製造用の積層物の積載装置。
【請求項７】金属プレート移載装置は、金属プレート吸着装置と　金属プレート吸着装置を金属プレートの吸着場所と作業テーブルとの間で移動させる金属プレート移送装置とから形成され、金属プレート吸着装置は、金属プレート押さえ具と、金属プレート押さえ具の両側においてそれぞれ上下動自在に設けられ、金属プレートの上面を吸着する吸着具と、吸着具を金属プレート押さえ具の下端よりも上方へ移動させて金属プレートの中央部の上面に金属プレート押さえ具の下端を当接させて金属プレートを上方へ反らせ変形させると共に、金属プレートを作業テーブルの上に載置させた後に吸着具を下動させて金属プレートの変形を戻すための吸着具昇降シリンダーとを具備して形成されていることを特徴とする請求項１乃至６のいずれかに記載の積層板製造用の積層物の積載装置。
　　
（２）申立の理由の概要
　申立人は、甲第１号証（特公平３−１９１４５号公報）、甲第２号証（特開昭６２−１０４７４０号公報）、甲第３号証（実開平６−８３８８号公報）を提出して、下記の理由により本件発明１ないし７に係る特許は取り消されるべきものであると主張している。
［理由］本件発明１ないし２、４ないし７は、甲第１及び２号証に記載された発明及び当業者の技術常識に基づいて、本件発明３は、甲第１及び３号証に記載された発明及び当業者の技術常識に基づいて、それぞれ、当業者が容易に発明をすることができたものであるから、これらの発明の特許は、特許法第２９条第２項の規定に違反してなされたものである。
　　
（３）甲各号証の記載
甲第１号証には、
「１　次のＡ〜Ｅの工程を含むシート材料を取り出す方法。
Ａ　所定の複数枚重ね合せたシート材料を多数組、隣接する上下の所定の複数枚重ね合せられたシート材料とは少なくとも１辺をずらせて、かつ、１組おきには同じ位置になるようにして積載する工程。
Ｂ　最上部の下の所定の複数枚重ね合せられたシート材料のずらし積載された部分を下方に押圧し、最上部の所定の複数枚重ね合せられたシート材料との間に間隙を形成する工程。
Ｃ　工程Ｂで形成された間隙に、第１のガイドを押入し最上部の所定の複数枚重ね合せられたシート材料の端縁を押し上げる工程。
Ｄ　押し上げられた最上部の所定の複数枚重ね合せられたシート材料の下面に、第２のガイドを押入し、第２のガイドが上方に移動し、最上部の所定の複数枚重ね合せられたシート材料の端縁を定められた位置に維持する工程。
Ｅ　定められた位置に維持される最上部の所定の複数枚重ね合せられたシート材料の端縁を把持し、取り出す工程。」（特許請求の範囲）が記載されているとともに、
第１図（セット品の斜視図）、第２図（端部押え治具の斜視図）、第３図（第１のガイドの斜視図）、第４図（第２のガイドの斜視図）、第５図Ａ（第２のガイドの平面図）、第５図Ｂ（第２のガイドの側面図）、第６図Ａ，Ｂ（把持治具の斜視図）、第７図（装置全体の正面図）が記載されていると認められる。
　
甲第２号証には、
「コンベアによって搬送される印刷回路板を停止させ幅よせした後位置決めテーブルを該コンベアの間から上昇させて該テーブルのガイドピンに該印刷回路板の基準穴を挿入して粗位置決めする粗位置決め部と、テーブル上のガイドピンを前記印刷回路板の基準穴に挿入させて精密位置決めを行う精密位置決め部と、コンベアによって搬送される積層接着治具板を停止させ幅よせした後ガイドピンに該治具板の基準穴を挿入して位置決めする治具板位置決め部と、プリプレグの基準穴を位置決めテーブルのガイドピンに挿入して位置決めするプリプレグ位置決め部と、前記粗位置決め部上の印刷回路板を吸着によって保持しながら前記精密位置決め部へ搬送し、さらに該精密位置決め部から前記治具板位置決め部へ搬送する水平多関節ロボットと、前記プリプレグ位置決め部上のプリプレグを吸着によって保持しながら前記治具板位置決め部へ搬送するピックアンドプレースとを有し、前記治具板上に印刷回路板とプリプレグとが交互に積層されることを特徴とする多層印刷回路板の層構成装置。」（特許請求の範囲）、
「多層印刷回路板の層構成は、第８図に示す積層接着治具板４の基準穴５にガイドピン７を立て、第６図に示す印刷回路板１と第７図に示すプリプレグ３の各々の基準穴２をガイドピン７に挿入しながら交互に積み重ね、第９図に示すように積層接着用治具４を重ねる」（第１頁右欄第１４−１９行）、
「第１図に斜視図で示すように、本発明の一実施例である層構成装置は、水平多関節ロボット８と、その先端に取付てある吸着パッド９と、ピックアンドプレース１０と、その先端に取付てある吸着パッド１１と、コンベア１２上で印刷回路板１を粗位置決めする粗位置決め部と、テーブル１７上で精密位置決めする精密位置決め部と、除塵を行う除塵ブラシ１９とテーブル２４上でプリプレグ３を位置決めするプリプレグ位置決め部と、コンベア２０上で積層接着治具板４を位置決めする治具板位置決め部と、ピックアンドプレースに附随して移動する除塵ブラシ２６とで構成される」（第２頁右下欄第９−２０行）が記載されているとともに、
第１図（本発明の実施例である層構成装置の斜視図）、第７図（プリプレグの斜視図）、第８図（積層接着治具板の斜視図）、第９図（積層接着治具に構成された多層印刷回路板の断面図）が記載されていると認められる。
　
甲第３号証には、
「 【請求項１】 流体シリンダによって昇降可能になっているテーブルリフタと、
前記テーブルリフタ上の案内手段によって搬入出方向に移動可能に支持されており、駆動手段によって搬入出方向に移動される移動台と、
前記移動台上に着脱可能に支持されており、かつ積層物をその上に載置するようになっている載置板と、
前記移動台上であってかつ前記載置板の下側に設けられており、昇降手段によって昇降する昇降フレームと、
前記昇降手段によって前記昇降フレームが上昇されたときに前記載置板を前記移動台から浮かせた状態で支持するように前記昇降フレームに設けられているコロと、
前記昇降フレームに設けられておりかつ前記昇降フレームが上昇すると前記載置板と係合する係合手段を有するローラチェーンとを具備する積層物の搬入出装置。」（実用新案登録請求の範囲）が記載されているとともに、
第１図（積層物の搬入出装置を示す正面図）が記載されていると認められる。
　　
（４）対比・判断
［本件発明１について］
　本件発明１と甲第１ないし２号証に記載された発明とを対比すると後者には前者の「当て板あるいはトップ板を吸着して作業テーブルの上に移載する吸着移載装置」、「パット紙及び分離装置で分離されたプリプレグをつかんで作業テーブルの上に移載するつかみ移載装置」、「金属箔を吸着して作業テーブルの上に移載する金属箔移載装置」、「金属プレートを吸着して作業テーブルの上に移載する金属プレート移載装置」、「パット紙、当て板、金属プレート、金属箔、プリプレグ、トップ板を所定の順で移載するように上記分離装置、吸着移載装置、つかみ移載装置、金属箔移載装置、金属プレート移載装置の作動順序を制御する制御手段」を具備した点について記載も示唆もされていないと認められる。
　すなわち、甲第１号証には、複数枚積み重ねたプリプレグのうち上端のプリプレグを把持し、分離する分離装置が記載されており、この分離装置は当然分離後のプリプレグを作業テーブル等の上に移載するものと認められるが、パット紙をも移載することについてはなにも記載されていない。
　甲第２号証には、コンベアによって搬送される積層接着治具板を、位置決めする治具板位置決め部と、印刷回路板を吸着によって保持しながら搬送する水平多関節ロボットと、プリプレグを吸着によって保持しながら前記治具板位置決め部へ搬送するピックアンドプレースとを有し、積層接着治具板上に印刷回路板とプリプレグとが交互に積層する多層印刷回路板の層構成装置が記載されていると認められるが、本件発明１を構成する、当て板あるいはトップ板を吸着して作業テーブルの上に移載する吸着移載装置、パット紙及び分離装置で分離されたプリプレグをつかんで作業テーブルの上に移載するつかみ移載装置、金属箔を吸着して作業テーブルの上に移載する金属箔移載装置、金属プレートを吸着して作業テーブルの上に移載する金属プレート移載装置、パット紙、当て板、金属プレート、金属箔、プリプレグ、トップ板を所定の順で移載するように上記分離装置、吸着移載装置、つかみ移載装置、金属箔移載装置、金属プレート移載装置の作動順序を制御する制御手段についてはなにも記載されておらず、それを示唆する記載もない。
　なお、申立人は、特許異議申立書において、「作業テーブルの上にパット紙、当て板、金属プレート、金属箔、プリプレグ、トップ板を所定の順序に重ねるための積載装置」、及び、「パット紙、当て板、金属プレート、金属箔、プリプレグ、トップ板を所定の順で積載するように上記分離装置、吸着移載装置、つかみ移載装置、金属箔移載装置、金属プレート移載装置の作動順序を制御する制御手段」は、本件特許明細書に従来技術として記載されていることを一例として、いわゆる当業者の技術常識であると述べているが、この従来技術として記載されていると理由だけで、直ちにこれらの技術が本件特許の出願前に当業者の技術的常識であったとは認めることができず、他にこれを確認しうる証拠はなにも提示されていないので、この主張は採用できない。
　そして、本件発明１は上記技術的事項を具備したことにより、特許明細書に記載された、パット紙、当て板、金属プレート、金属箔、プリプレグ、トップ板を所定の順に積載することができ、作業者による作業を必要とすることなく、自動的に積層物を所定に順に積み重ねることができるという効果を得られたものと認められる。
　
　よって、本件発明１は甲第１ないし２号証に記載された発明に基づいて当業者が容易に発明をすることができたものであるとは認められず、特許法第２９条第２項の規定により特許を受けることができないものであるとは認められない。
　
[本件発明２及び４ないし７］について
　本件発明２及び４ないし７は、本件発明１をさらに技術的に限定したものであるから、本件発明１についての判断と同じ理由により甲第１ないし２号証に記載された発明に基づいて当業者が容易に発明をすることができたものであるとは認められず、特許法第２９条第２項の規定により特許を受けることができないものであるとは認められない。
　　  　　
［本件発明３について］
　本件発明３は、本件発明１をさらに技術的に限定したものであるから、「当て板あるいはトップ板を吸着して作業テーブルの上に移載する吸着移載装置」、「パット紙及び分離装置で分離されたプリプレグをつかんで作業テーブルの上に移載するつかみ移載装置」、「金属箔を吸着して作業テーブルの上に移載する金属箔移載装置」、「金属プレートを吸着して作業テーブルの上に移載する金属プレート移載装置」、「パット紙、当て板、金属プレート、金属箔、プリプレグ、トップ板を所定の順で移載するように上記分離装置、吸着移載装置、つかみ移載装置、金属箔移載装置、金属プレート移載装置の作動順序を制御する制御手段」を具備しているものである。
　これに対し、甲第１号証に記載された発明は、本件発明１についての判断において示したように、これらの技術的事項を有しておらず、また、甲第３号証にも、上記の技術的事項については記載も示唆もされていないと認められる。
　そして、本件発明３は上記技術的事項を具備したことにより、特許明細書に記載された効果を得られたものと認められる。
　
　よって、本件発明３は甲第１号証及び甲第３号証に記載された発明に基づいて当業者が容易に発明をすることができたものであるとは認められず、特許法第２９条第２項の規定により特許を受けることができないものであるとは認められない。
　
３．むすび
　以上のとおりであるから申立人の特許異議申立の理由及び証拠によっては本件発明１ないし７に係る特許を取り消すことはできない。
　また、他に本件発明１ないし７に係る特許を取り消すべき理由を発見しない。
　よって、結論のとおり決定する。
【異議決定日】
平成１３年７月３日（２００１．７．３）